(57)【要約】      （修正有）【課題】所定の吐出量に固定された記録ヘッドを用い、所定の吐出量から得られる記録密度よりも低い密度でデータ処理および記録を行う。【解決手段】濃度値が所定値よりも低い場合にドットが記録されるエリアから構成される第１の領域に対する第１のマスクパターンと、濃度値が前記所定値以上の場合にのみドットが記録されるエリアから構成される第２の領域に対する第１のマスクパターンとは異なる特徴を有する第２のマスクパターンとの和によって構成され、第１の領域に含まれるエリアには、複数回の走査によって１以下のドットが記録され、第２の領域に含まれるエリアには、濃度値が所定値以上の場合にのみ複数回の走査によって２以上のドットが記録される。【選択図】  図９
2006062332.tif 000002
【特許請求の範囲】
【請求項１】
数段階で表現される濃度値を有する画素に対し、該画素を構成する複数のエリアへのドットの記録・非記録の組み合わせによって前記濃度値を表現しつつ、前記画素が配列して構成される画像情報に従って、記録媒体に前記ドットを形成するためのインクを吐出する記録素子を複数具えた記録ヘッドを、前記記録媒体に対して複数回走査させながら画像を形成するインクジェット記録方法であって、
前記画素を構成する複数のエリアそれぞれの記録ドットの有無を決定するためのドット配置パターンを、前記各画素の濃度値に応じて割り当てる工程と、
前記割り当て工程によって得られた前記ドット配置パターンに基づくドットの記録を、マスクパターンを用いて前記記録ヘッドの複数回の走査に振り分け、該複数回の走査それぞれに対応した吐出データを作成する工程と、
前記吐出データ作成工程において作成された吐出データに従い、前記複数の記録素子からインクを吐出する吐出工程と、を有し、
前記マスクパターンは、前記濃度値が所定値よりも低い場合にドットが記録されるエリアから構成される第１の領域に対する第１のマスクパターンと、前記濃度値が前記所定値以上の場合にのみドットが記録されるエリアから構成される第２の領域に対する前記第１のマスクパターンとは異なる特徴を有する第２のマスクパターンとの和によって構成され、
前記第１の領域に含まれるエリアには、前記複数回の走査によって１以下のドットが記録され、前記第２の領域に含まれるエリアには、前記濃度値が前記所定値以上の場合にのみ前記複数回の走査によって２以上のドットが記録されることを特徴とするインクジェット記録方法。
【請求項２】
前記記録媒体の先端部あるいは後端部に対する記録走査で適用するマスクパターンは、前記先端部あるいは後端部以外に対する記録走査で適用するマスクパターンとは異なるものであり、少なくとも先端部あるいは後端部に対する記録走査で適用する前記マスクパターンは、前記濃度値が所定値よりも低い場合にドットが記録されるエリアから構成される第１の領域に対する第１のマスクパターンと、前記濃度値が前記所定値以上の場合にのみドットが記録されるエリアから構成される第２の領域に対する前記第１のマスクパターンとは異なる特徴を有する第２のマスクパターンとの和によって構成されていることを特徴とする請求項１に記載のインクジェット記録方法。
【請求項３】
前記記録媒体の先端部あるいは後端部に対する記録走査で使用する前記記録素子の数は、前記先端部あるいは後端部以外の領域に対する記録走査で使用する前記記録素子の数よりも少ないことを特徴とする請求項２に記載のインクジェット記録方法。
【請求項４】
前記第１のマスクパターンでは、１回の前記記録走査で記録されるドットが分散性に優れた状態で配列し、前記第２のマスクパターンでは、１回の前記記録走査で記録されるドットが複数密集した状態で配列されていることを特徴とする請求項１乃至３のいずれかに記載のインクジェット記録方法。
【請求項５】
前記第１のマスクパターンと前記第２のマスクパターンとでは、１回の前記記録走査で記録されるドットの周波数が互いに異なっていることを特徴とする請求項１乃至３のいずれかに記載のインクジェット記録方法。
【請求項６】
前記第１のマスクパターンと前記第２のマスクパターンとでは、１回の前記記録走査で記録されるドットの前記記録素子に対する記録率の分布が、互いに異なっていることを特徴とする請求項１乃至３のいずれかに記載のインクジェット記録方法。
【請求項７】
前記記録ヘッドは、複数色のインクを吐出することが可能であり、前記複数色のインクのうち少なくとも１つについては、前記第１のマスクパターンと前記第２のマスクパターンの少なくとも一方が、他色と異なっていることを特徴とする請求項１乃至５のいずれかに記載のインクジェット記録方法。
【請求項８】
数段階で表現される濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録素子を複数具えた記録ヘッドを、前記記録媒体に対して複数回走査させながら画像を形成するインクジェット記録システムであって、
前記画素を構成する複数のエリアそれぞれの記録ドットの有無を決定するためのドット配置パターンを、前記各画素の濃度値に応じて割り当てる手段と、
前記割り当て手段によって得られた前記ドット配置パターンに基づくドットの記録を、マスクパターンを用いて前記記録ヘッドの複数回の走査に振り分け、該複数回の走査それぞれに対応した吐出データを作成する手段と、
前記吐出データ作成工程において作成された吐出データに従い、前記記録ヘッドからインクを吐出する吐出手段とを有し、
前記マスクパターンは、前記濃度値が所定値よりも低い場合にドットが記録されるエリアから構成される第１の領域に対する第１のマスクパターンと、
前記濃度値が前記所定値以上の場合にのみドットが記録されるエリアから構成される第２の領域に対する前記第１のマスクパターンとは異なる特徴を有する第２のマスクパターンとの和によって構成され、
前記第１の領域に含まれるエリアには、前記複数回の走査によって１以下のドットが記録され、前記第２の領域に含まれるエリアには、前記濃度値が前記所定値以上の場合にのみ前記複数回の走査によって２以上のドットが記録されることを特徴とするインクジェット記録システム。
【請求項９】
請求項１乃至６のいずれかに記載のインクジェット記録方法を実現することを特徴とする制御プログラム。
【発明の詳細な説明】
【技術分野】
【０００１】
本発明は、記録媒体に記録剤を記録することによって所定の濃度情報を表現することが可能なインクジェット記録方法、インクジェット記録システム、および制御プログラムに関する。
【背景技術】
【０００２】
近年来のパーソナルコンピュータ等情報処理機器の普及に伴い、画像形成端末としての記録装置も急速に発展および普及してきた。特に種々の記録装置の中でも、吐出口からインクを吐出させて紙、布、プラスチックシート、ＯＨＰ用シートなどの記録媒体に記録を行うインクジェット記録装置は、低騒音のノンインパクト型の記録方式であること、高密度かつ高速な記録動作が可能であること、カラー記録にも容易に対応できること、低廉であることなど、極めて優れた特長を有しており、今やパーソナルユースの記録装置の主流となっている。
【０００３】
インクジェット記録技術の進歩は記録の高画質化、高速化、低廉化を促進し、またパーソナルコンピュータやデジタルカメラ（単体でその機能を果たすもののほか、その他の装置、例えば携帯型電話に一体化されるものも含む）の普及とも相俟って、パーソナルユーザにまで記録装置を普及させる効果に寄与すること大であった。しかしそのような広範な普及により、パーソナルユーザからも画質のより一層の向上が求められるようになってきており、特に近年では、家庭で手軽に写真をプリントできるようなプリントシステムおよび銀塩写真に見合う画像の品位が求められて来ている。
【０００４】
いわゆる一般的な銀塩写真と比べた場合、インクジェット記録装置においては、それ特有の粒状感がかねてから問題視されていた。よって近年ではこの粒状感を低減するための様々な対策が提案されており、その様な対策が盛り込まれた記録装置も多く提供されている。たとえば、通常のシアン、マゼンタ、イエローおよびブラックの外に、より濃度の低いライトシアンやライトマゼンタを加えたインクシステムを具備するインクジェット記録装置がある。このようなインクシステムであれば、濃度の低い領域でライトシアンやライトマゼンタを用いることにより、粒状感を低減することができる。また、濃度の高い領域では通常のシアンおよびマゼンタで記録を行うことにより、より広い色再現および滑らかな階調性を実現させることが可能となっている。
【０００５】
更に、記録媒体に着弾されるドットの大きさをより小さく設計して粒状感を低減する方法もあり、このために記録ヘッドに配列する各記録素子から吐出されるインク滴を少量化する技術も進められて来ている。この場合、インク滴の少量化のみならず、より多くの記録素子をより高い配列密度によって構成することにより、記録速度を損なわずに高解像な画像を同時に得ることが可能となっている。
【０００６】
ところで、パーソナルユースのインクジェット記録装置においては、上述したように写真画質に迫る高品位な画像の出力が求められる一方で、テキストや図表のような通常の文書を出力する場合も少なくない。そして、このような文書においては、銀塩写真並みの画像品位よりも、むしろ高速に出力することが肝要とされるのである。よって、一般のインクジェット記録装置では、複数の記録モードを具備しておきながら、用途に応じてユーザがこれを設定可能とする構成となっている（例えば、特許文献１参照。）。
【０００７】
【特許文献１】特開平１−２８１９４４号公報
【特許文献２】特許第０３１８４７４４号明細書
【特許文献３】特開平０５−２７８２３２号公報
【発明の開示】
【発明が解決しようとする課題】
【０００８】
しかしながら、上記のような画質向上への技術開発は、必ずしも低廉化や高速出力を重視する記録モードと共存できるものばかりではなかった。たとえば、記録素子から吐出されるインクの量（以下吐出量と称す）を変調できない構成のインクジェット記録装置においては、粒状感を低減するために、記録ヘッドに配列する各記録素子から吐出される全てのインク滴が固定量の小ドロップとなっている。そして、この決められた吐出量で記録されるドットを、好ましい密度に配列させることによって、所望の濃度が得られるように設計されている（例えば、特許文献２参照。）。よって、吐出量が小さくなればなるほど、所望の濃度を得るための記録密度が高くなり、そのための構成手段やデータの処理も、複雑でありながら、ある程度固定的に確立されてしまっているのである。従って、より高速に出力したいモードにおいても、所定の濃度を得るためには、上記構成手段やデータの処理方法に依存して記録せざるを得ない状況にあり、十分な濃度を満足のいく記録速度で得ることが困難な状況であった。
【０００９】
本発明は上述の問題点を解消するためになされたものであり、その目的とするところは、小ドロップを実現する所定の吐出量に固定されたインクジェット記録ヘッドを用いながら、上記吐出量から得られる好適な記録密度よりも低い記録密度でデータ処理および記録を行いつつ、更に、記録デューティーに伴いその重要度が変異するいくつかの画像問題にも臨機応変に対応することが可能なインクジェット記録方法、インクジェット記録システム、および当該記録方法を実現するための制御プログラムを提供することである。
【課題を解決するための手段】
【００１０】
そのために本発明においては、数段階で表現される濃度値を有する画素に対し、該画素を構成する複数のエリアへのドットの記録・非記録の組み合わせによって前記濃度値を表現しつつ、前記画素が配列して構成される画像情報に従って、記録媒体に前記ドットを形成するためのインクを吐出する記録素子を複数具えた記録ヘッドを、前記記録媒体に対して複数回走査させながら画像を形成するインクジェット記録方法であって、前記画素を構成する複数のエリアそれぞれの記録ドットの有無を決定するためのドット配置パターンを、前記各画素の濃度値に応じて割り当てる工程と、前記割り当て工程によって得られた前記ドット配置パターンに基づくドットの記録を、マスクパターンを用いて前記記録ヘッドの複数回の走査に振り分け、該複数回の走査それぞれに対応した吐出データを作成する工程と、前記吐出データ作成工程において作成された吐出データに従い、前記複数の記録素子からインクを吐出する吐出工程と、を有し、前記マスクパターンは、前記濃度値が所定値よりも低い場合にドットが記録されるエリアから構成される第１の領域に対する第１のマスクパターンと、前記濃度値が前記所定値以上の場合にのみドットが記録されるエリアから構成される第２の領域に対する前記第１のマスクパターンとは異なる特徴を有する第２のマスクパターンとの和によって構成され、前記第１の領域に含まれるエリアには、前記複数回の走査によって１以下のドットが記録され、前記第２の領域に含まれるエリアには、前記濃度値が前記所定値以上の場合にのみ前記複数回の走査によって２以上のドットが記録されることを特徴とする。
【００１１】
また、数段階で表現される濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録素子を複数具えた記録ヘッドを、前記記録媒体に対して複数回走査させながら画像を形成するインクジェット記録システムであって、前記画素を構成する複数のエリアそれぞれの記録ドットの有無を決定するためのドット配置パターンを、前記各画素の濃度値に応じて割り当てる手段と、前記割り当て手段によって得られた前記ドット配置パターンに基づくドットの記録を、マスクパターンを用いて前記記録ヘッドの複数回の走査に振り分け、該複数回の走査それぞれに対応した吐出データを作成する手段と、前記吐出データ作成工程において作成された吐出データに従い、前記記録ヘッドからインクを吐出する吐出手段とを有し、前記マスクパターンは、前記濃度値が所定値よりも低い場合にドットが記録されるエリアから構成される第１の領域に対する第１のマスクパターンと、前記濃度値が前記所定値以上の場合にのみドットが記録されるエリアから構成される第２の領域に対する前記第１のマスクパターンとは異なる特徴を有する第２のマスクパターンとの和によって構成され、前記第１の領域に含まれるエリアには、前記複数回の走査によって１以下のドットが記録され、前記第２の領域に含まれるエリアには、前記濃度値が前記所定値以上の場合にのみ前記複数回の走査によって２以上のドットが記録されることを特徴とする。
【発明の効果】
【００１２】
本発明によれば、低デューティーの画像に対し影響が大きい第１のマスクパターンと、高デューティーの画像に対し影響が大きい第２のマスクパターンとを、それぞれ独立に設計することができるので、低デューティーで問題視される課題と、高デューティーで問題視される課題とをそれぞれ独立したマスクパターンを適用して対応出来る。
【発明を実施するための最良の形態】
【００１３】
（第１の実施形態）
以下に、本発明の第１実施形態を詳細に説明する。  
図１は、本実施形態における画像データ変換処理の流れを説明するためのブロック図である。本実施形態で適用するインクジェット記録装置は、シアン、マゼンタ、イエロー、ブラックの基本色であるインクのほかに、レッド、ライトシアンおよびライトマゼンタによって記録を行うものであり、そのためにこれら６色のインクを吐出する記録ヘッドが用意されている。図１に示すように、ここに示す各処理は、記録装置とホスト装置としてのパーソナルコンピュータ(ＰＣ)によって構成されるものとする。
【００１４】
ホスト装置のオペレーティングシステムで動作するプログラムとしてアプリケーションやプリンタドライバがあり、アプリケーションＪ０００１は記録装置で記録する画像データを作成する処理を実行する。実際の記録時にはアプリケーションで作成された画像データがプリンタドライバに渡される。
【００１５】
本実施形態の記録システムにおいては、用途に応じてユーザが記録モードをプリンタドライバから選択できるようになっている。本実施形態では高画質写真モードおよび高速モードの少なくとも２つの記録モードが選択可能であるとし、プリンタドライバ以降の各処理は、記録モードに応じてある程度独立に設計可能なものとする。
【００１６】
以下に、まず、高画質写真モードで記録する場合の処理を説明する。
【００１７】
本実施形態におけるプリンタドライバはその処理として、前段処理Ｊ０００２、後段処理Ｊ０００３、γ補正Ｊ０００４、ハーフトーニングＪ０００５、および印刷データ作成Ｊ０００６を有するものとする。ここで、各処理を簡単に説明すると、前段処理Ｊ０００２は色域(Ｇａｍｕｔ)のマッピングを行う。そして、ｓＲＧＢ規格の画像データＲ、Ｇ、Ｂによって再現される色域を、記録装置によって再現される色域内に写像するためのデータ変換を行う。具体的にはＲ、Ｇ、Ｂのそれぞれが８ｂｉｔで表現されたデータを３次元のＬＵＴを用いることにより、異なる内容のＲ、Ｇ、Ｂの８ｂｉｔのデータに変換する。
【００１８】
後段処理Ｊ０００３は、上記色域のマッピングがなされたデータＲ、Ｇ、Ｂに基づき、このデータが表す色を再現するインクの組み合わせに対応した色分解データＹ、Ｍ、Ｃ、Ｋ、Ｒ、ＬｃおよびＬｍを求める処理を行う。ここでは前段処理と同様に、３次元ＬＵＴにて補間演算を併用して行うものとする。
【００１９】
γ補正Ｊ０００４は、後段処理Ｊ０００３によって求められた色分解データの各色のデータごとにその階調値変換を行う。具体的には、記録装置の各色インクの階調特性に応じた１次元ＬＵＴを用いることにより、上記色分解データが記録装置の階調特性に線形的に対応づけられるような変換を行う。
【００２０】
ハーフトーニングＪ０００５は、８ビットの色分解データＹ、Ｍ、Ｃ、Ｋ、Ｒ、Ｌｃ、Ｌｍそれぞれについて４ビットのデータに変換する量子化を行う。本実施形態では、誤差拡散法を用いて２５６階調の８ビットデータを、９階調の４ビットデータに変換する。この４ビットデータは、記録装置におけるドット配置のパターン化処理における配置パターンを示すためのインデックスとなるデータである。
【００２１】
プリンタドライバで行う処理の最後には、印刷データ作成処理Ｊ０００６によって、上記４ビットのインデックスデータを内容とする印刷イメージデータに印刷制御情報を加えた印刷データを作成する。
【００２２】
記録装置は、入力されてきた上記印刷データに対し、ドット配置パターン化処理Ｊ０００７およびマスクデータ変換処理Ｊ０００８を行う。
【００２３】
以下に本実施形態の高画質写真モードにおけるドット配置パターン化処理Ｊ０００７について説明する。上述したハーフトーン処理では、２５６値の多値濃度情報（８ビットデータ）を９値の階調値情報（４ビットデータ）までにレベル数を下げている。しかし、実際に本実施形態のインクジェット記録装置が記録できる情報は、インクを記録するか否かの２値情報である。ドット配置パターン化処理では、０〜８の多値レベルをドットの有無を決定する２値レベルまで低減する役割を果たす。具体的には、このドット配置パターン化処理Ｊ０００７では、ハーフトーン処理部からの出力値であるレベル０〜８の４ビットデータで表現される画素ごとに、その画素の階調値（レベル０〜８）に対応したドット配置パターンを割当て、これにより１画素内の複数のエリア各々にドットのオン・オフを定義し、１画素内の各エリアに「１」または「０」の１ビットの吐出データを配置する。
【００２４】
図２は、本実施形態の高画質写真モードにおけるドット配置パターン化処理で変換する、入力レベル０〜８に対する出力パターンを示している。図の左に示した各レベル値は、ハーフトーン処理部からの出力値であるレベル０〜レベル８に相当している。右側に配列した縦２エリア×横４エリアで構成される領域は、ハーフトーン処理で出力された１画素（ピクセル）の領域に対応するもので、縦横ともに６００ｐｐｉ（ピクセル／インチ；参考値）の画素密度に対応する大きさとなっている。また、１画素内の各エリアは、ドットのオン・オフが定義される最小単位に相当するもので、縦が１２００ｄｐｉ（ドット／インチ；参考値）、横が２４００ｄｐｉの記録密度に対応するものである。本実施形態の記録装置では、上記記録密度に対応した、縦が約２０μｍ、横が約１０μｍで表現される１つのエリアに対し、２ｐｌのインク滴が１つ記録されて所望の濃度が得られる様に設計されている。
【００２５】
また、図２において、縦方向は記録ヘッドの吐出口が配列する方向であり、エリアの配列密度と吐出口の配列密度とが１２００ｄｐｉという値で一致している。横方向は記録ヘッドの走査方向を示しており、本実施形態の高画質写真モードでは、記録ヘッドは２４００ｄｐｉの密度で記録を行う構成となっている。
【００２６】
更に、図において、丸印を記入したエリアがドットの記録を行うエリアを示しており、レベル数が上がるに従って、記録するドット数も１つずつ増加している。
【００２７】
（４ｎ）〜（４ｎ＋３）は、ｎに１以上の整数を代入することにより、入力画像の左端からの横方向の画素位置を示している。また、その下に示した各パターンは、同一の入力レベルにおいても画素位置に応じて互いに異なる複数のパターンが用意されていることを示している。すなわち、同一のレベルが入力された場合にも、記録媒体上では（４ｎ）〜（４ｎ＋３）に示した４種類のドット配置パターンが巡回されて割当てられる構成となっているのである。そして、このような構成にしておくことは、ドット配置パターンの上段に位置するノズルと下段に位置するノズルとで吐出回数を分散させたり、記録装置特有の様々なノイズを分散させたり、という様々な効果が得られるのである。
【００２８】
本実施形態の高画質写真モードにおいては、最終的にこのような形でオリジナル画像の濃度情報が反映され、ドット配列パターン化処理を終了した段階で、記録媒体に対するドットの配列パターンが全て決定される。
【００２９】
以下に高画質写真モードにおけるマスクデータ変換処理Ｊ０００８について説明する。
【００３０】
上述したドット配置パターン化処理により、記録媒体上の各エリアに対するドットの有無は決定されたので、この情報をそのまま記録ヘッドの駆動回路に入力すれば、所望の画像を記録することは可能である。しかし、インクジェット記録装置においては、通常マルチパス記録という記録方法が採用されている。
【００３１】
以下にマルチパス記録方法について簡単に説明する。  
図３は、マルチパス記録方法を説明するために、記録ヘッドおよび記録パターンを模式的に示したものである。Ｐ０００１は記録ヘッドを示し、ここでは簡単のため１６個のノズルを有するものとする。ノズルは、図のように第１〜第４の４つのノズル群に分割され、各ノズル群には４つずつのノズルが含まれている。Ｐ０００２はマスクパターンを示し、各ノズルが記録を行うことが可能なエリア（記録可能箇所）を黒塗りで示している。各ノズル群が記録するパターンは互いに補完の関係にあり、これらを重ね合わせると４×４のエリアに対応した領域の記録が完成される構成となっている。
【００３２】
Ｐ０００３〜Ｐ０００６で示した各パターンは、記録走査を重ねていくことによって画像が完成されていく様子を示したものである。各記録走査が終了するたびに、記録媒体は図の矢印の方向にノズル群の幅分ずつ搬送される。よって、記録媒体の同一領域（各ノズル群の幅に対応する領域）は４回の記録走査によって初めて画像が完成される構成となっている。以上のように、記録媒体の各同一領域が複数回の走査で複数のノズル群によって形成されることは、ノズル特有のばらつきや記録媒体の搬送精度のばらつき等を低減させる効果がある。
【００３３】
図４は、本実施形態の高画質写真モードで実際に適用するマスクパターンを示したものである。図４のマスクパターンの黒エリアは図３のマスクパターンの黒エリアと同じ役割を担う箇所であり、記録を許容するエリアである。また、図４のマスクパターンの白エリアは図３のマスクパターンの白エリアと同じ役割を担う箇所であり、記録を許容しないエリアである。
【００３４】
本実施形態で適用する記録ヘッドＨ１００１は７６８個のノズルを有している。また、高画質写真モードでは、図３と同様に４パスのマルチパスを行うものとする。従って、４つのノズル群にはそれぞれ１９２個ずつのノズルが属することになる。マスクパターンの大きさは、縦方向がノズル数と同等の７６８エリア、横方向は２５６エリアとなっており、４つのノズル群で互いに補完の関係を保つような構成となっている。
【００３５】
ところで、本実施形態で適用するような、多数の小液滴を高周波数で吐出するようなインクジェット記録ヘッドにおいては、記録動作時に記録部近傍に気流が生じ、この気流が特に記録ヘッドの端部に位置するノズルの吐出方向に影響を与えることが確認されている。よって、本実施形態の高画質写真モード用のマスクパターンにおいては、図４からも判るように、各ノズル群また同一のノズル群の中でも、領域によって記録可能比率（単に、「記録率」という場合もある）の分布に偏りを持たせている。図４で示すように、端部のノズルの記録可能比率を中央部に対して低減した構成のマスクパターンを適用する。具体的には、第１ノズル群に対応するマスクパターンの記録率はＮ％、第２ノズル群に対応するマスクパターンの記録率はＭ（但し、Ｍ＞Ｎ）％、第３ノズル群に対応するマスクパターンの記録率はＭ％、第４ノズル群に対応するマスクパターンの記録率はＮ％となっており、これら４つのノズル群に対応したマスクパターンの記録率の合計（Ｎ＋Ｍ＋Ｍ＋Ｎ）は１００％となっている。このように端部のノズルの記録率を中央部よりも低くした構成のマスクパターンを採用ことにより、端部のノズルが吐出したインク滴の着弾位置ずれによる弊害を目立たなくすることが可能となるのである。
【００３６】
なお、マスクパターンの記録率（記録可能比率）とは、マスクパターンを構成する記録許容エリア（図４の黒エリア）と非記録許容エリア（図４の白エリア）の合計数に対する記録許容エリアの数の割合を百分率で表したものである。以下、これを具体的に説明する。例えば、図４のマスクパターンの横方向（ノズル並び方向と直交する方向）の大きさは２５６エリア分であるので、１つのノズルに対応するマスクパターンを構成する記録許容エリアと非記録許容エリアの合計数は２５６個となる。この２５６個のエリアのうち、記録許容エリアが６４個、非記録許容エリアが１９２個であった場合、このノズルに対応するマスクパターンの記録率は２５（＝６４／１９２×１００）％ということになる。
【００３７】
本実施形態においては、図４で示したマスクデータや、他の記録モードで適用する複数のマスクデータが記録装置本体内のメモリに格納してあり、マスクデータ変換処理においては、当該マスクデータと上述したドット配置パターン化処理の出力信号との間でＡＮＤ処理をかけることにより、各記録走査で実際に吐出させる記録画素が決定され、出力信号として記録ヘッドＨ１００１の駆動回路Ｊ０００９に入力される。
【００３８】
駆動回路Ｊ０００９に入力された各色の１ｂｉｔデータは、記録ヘッドＪ００１０の駆動パルスに変換され、それぞれ記録ヘッドより所定のタイミングでインクが吐出される。
【００３９】
なお、記録装置における上述のドット配置パターン化処理やマスクデータ変換処理は、それらに専用のハードウエア回路を用い記録装置の制御部を構成するＣＰＵの制御の下に実行されているものとする。
【００４０】
次に、本実施形態における高速モードで記録する場合の処理を説明する。高速モードにおいても、図１で示した処理の流れによって説明することが可能であるが、本実施形態の高速モードにおいては、適用するインクをシアン、マゼンタ、イエローおよびブラックの基本の４色のみとし、処理時間の高速化を図っている。よって、後段処理Ｊ０００３では、Ｒ、Ｇ、Ｂの８ｂｉｔデータをＣ、Ｍ、Ｙ、Ｋの８ｂｉｔのデータに変換し、続く処理ではＣ、Ｍ、Ｙ、およびＫの４色のデータについての処理を行うことになる。
また、ハーフトーニングＪ０００５においては、高画質写真モードと同様に、８ビットの色分解データを４ビットのデータに変換する量子化が行われる。但し本高速モードでは、誤差拡散法を用いずに、多値のディザパターンを用いて、２５６階調の８ビットデータを、５階調の４ビットデータに量子化変換している。すなわち、ドット配置のパターン化処理における配置パターンを示すためのインデックスデータは、高画質写真モードと同様に４ビットのデータとなるが、その内容は５階調分の情報となっている。
【００４１】
印刷データ作成処理Ｊ０００６によって、上記４ビットのインデックスデータを内容とする印刷イメージ情報に印刷制御情報を加えた印刷データを作成するのは、上記高画質写真モードと同様である。
【００４２】
記録装置は、高画質写真モードの時と同様に、入力されてきた印刷データに対し、ドット配置パターン化処理Ｊ０００７およびマスクデータ変換処理Ｊ０００８を行う。
【００４３】
以下に本実施形態の高速モードにおけるドット配置パターン化処理Ｊ０００７について説明する。高速モードにおけるドット配置パターン化処理では、０〜４の多値レベルをドットの有無を決定する２値レベルまで低減する。具体的には、ハーフトーン処理部からの出力値であるレベル０〜４の４ビットデータで表現される画素ごとに、その画素の階調値（レベル０〜４）に対応したドット配置パターンを割当て、これにより１画素内の複数のエリア各々にドットのオン・オフを定義し、１画素内の各エリアに「１」または「０」の１ビットの吐出データを配置する。
【００４４】
図５は、本実施形態の高速モードにおけるドット配置パターン化処理で変換する、入力レベル０〜４に対する出力パターンを示している。図の左に示した各レベル値は、ハーフトーン処理部からの出力値であるレベル０〜レベル４に相当している。右側に配列した縦２エリア×横２エリアで構成される各マトリクスの領域は、ハーフトーン処理で出力された１画素の領域に対応するものである。上述した高画質写真モードでは、ハーフトーニングで出力された６００ｐｐｉの１画素（ピクセル）の領域に対し、縦が１２００ｄｐｉ（ドット／インチ；参考値）、横が２４００ｄｐｉの記録密度でドットを記録する構成であった。これに対し、高速モードでは、６００ｐｐｉの１画素領域に対し、縦２エリア×横２エリアで記録される構成となっている。
【００４５】
また、高速モードにおいては、高画質写真モードで説明した図２に見るように、同一のレベルにおいて、複数種類のドット配置パターンが巡回されて割当てられるような構成とはなっていない。全てのレベルにおいて、対応されるドット配置パターンは１種類となっている。
【００４６】
このように、本実施形態の高速モードでは、各パターンの領域が２エリア×２エリアと小さいこと、および巡回されるパターンが１種類に限定されることにより、高画質写真モードに比べて、ドット配置パターンを格納するためのメモリ領域を低く抑えることができている。
【００４７】
以下に本実施形態の高速モードにおけるマスクデータ変換処理Ｊ０００８について説明する。  
図６は、本実施形態の高速モードで実際に適用するマスクパターンを示したものである。本実施形態で適用する記録ヘッドＨ１００１は７６８個のノズルを有しており、ここでは３パスのマルチパス記録を行うので、７６８個のノズルは、２５６個ずつの３つのノズル群に分割される。マスクパターンの大きさは、縦方向がノズル数と同等の７６８エリア、横方向は３８６エリアとなっている。本実施形態の高速モードにおいては、各ノズル群で平均５０％ずつの記録がなされ、３つのノズル群を互いに重ね合わせて記録することにより、１５０％の記録が行われる構成となっている。
【００４８】
以下に、上記１５０％の記録を行うための目的および構成を詳細に説明する。上述したように本実施形態の高速モードでは、ハーフトーニングＪ０００５で出力された１画素で表現される領域に対し、図５で説明したドット配置パターン化処理では、４ドットまでしか記録されない構成となっている。しかし本実施形態の記録装置では、既に高画質写真モードで説明したように、２ｐｌの小ドロップを、１画素に対して８個まで記録されるように画像設計されている。よって、高速モードで、１画素に対して４個のまま記録を行ってしまうと、１画素に対するドット不足となり、結果的に不十分な濃度しか得られない画像となってしまう。本実施形態においては、この高速モードにおけるドット不足を、マスクデータ変換処理にて補うものとする。
【００４９】
図７は、図６のマスクパターンにおける各ノズル群に対応する領域の、左上に位置する４エリア×４エリアの領域Ｐ０００７〜Ｐ０００９を拡大して示したものである。これら３つの領域は、記録媒体上で重ね合わせられて記録され、Ｐ００１０はＰ０００７〜Ｐ０００９のパターンを重ねた結果を示している。Ｐ０００７〜Ｐ０００９において、白丸で示した部分は、その記録走査で２ｐｌのインク滴を記録するエリアを示している。また、Ｐ００１０においては、白丸で示した部分は、２ｐｌのドットが１つ記録されるエリア、黒丸で示した部分は、２ｐｌのドットが２つ、すなわち合計で４ｐｌのインク滴が記録されるエリアを示している。Ｐ００１０に見るように、黒丸と白丸は、互い違いのエリアに位置するようになっており、結果的に、１画素領域すなわち２エリア×２エリアに対するドットの配置は全て相似形で、最高６ドットまでインク滴が記録されることになる。
【００５０】
図８は、図５で示した入力レベル０〜４に対して、結果的に記録されるドットの様子および数を示したものである。図において、白丸は２ｐｌのインク滴が１つ記録されるエリアを、黒丸は２ｐｌのインク滴が２つ記録されるエリアを、さらに空白はインク滴が記録されないエリアをそれぞれ示している。図に見るように、レベル０〜レベル２までは、レベルが１つ上がると新たに１ドット付加されるように構成されているが、レベル３およびレベル４においては１レベルにつき新たに２ドットずつが付加されている。一般に、インクジェット記録装置においては、階調が低い領域では粒状感が問題視されるのでドットの強調は極力回避したい。また、階調が高い状態では１ドット程度を追加しても濃度は上がりにくく、その一方で最高濃度はなるべく高く設定することが望まれる。よって、本実施形態では、高濃度に行くほど追加されるドット数を多く設定し、最終的には、１画素に６ドットが記録されるような構成とした。
【００５１】
但し、このドット数は、本発明を限定するものではない。最終的な記録ドット数は６ドット以上であってもよい。本来、高画質写真モードと最高濃度の記録ドット数を揃えるならば、レベル４では８ドット記録することが望まれる。しかし一般に、高画質写真モードのような画質を重視するモードにおいては、光沢がありインクの受容量も大きな記録媒体が用いられることが多い一方で、図表やテキストのような文書を記録する高速モードの場合には、普通紙のようなインク受容量のあまり多くない記録媒体に記録することが多い。よって、本実施形態の高速モードにおいては、高画質写真モードほど多くのインクを記録しない構成としている。
【００５２】
どのようなドット数に定めるにせよ、ドット配置パターン化処理で定められたエリアの数以上（あるいは以下）のドットを記録し、かつドット配置パターン化処理における各レベルに対応する記録ドット数が一義的に決定可能であれば、本発明の効果は得られるものである。この様にすることで、各入力レベルに対して、出力パターンを１対１に対応させつつも、各レベルでは好適な状態で強調ドットが付加されたドットパターン配列を得ることが可能となる。逆に言えば、図８のような強調されたドットパターン配列で出力されることを前提として、それ以前の処理（すなわち前段処理からハーフトー二ングまで）を行うことができるのである。更に、ドットが複数記録されるエリアの位置が予め定められているので、以下の説明するような工夫をマスクパターンに施すことが出来る。
【００５３】
以下に、本発明を実施するに、より効果的なマスクパターンの例を説明する。図７および８を用いて説明したように、本実施形態の高速記録モードでは、２ドット記録されるエリア（黒丸）と１ドットのみ記録されるエリア（白丸）とが互い違いに配置しており、２エリア×２エリアから成る相似な領域が、縦横方向に繰り返し配列している。ここで、２エリア×２エリアにおいて、左上と右下のエリアを千鳥位置Ａ、右上と左下のエリアを千鳥Ｂと定義すると、千鳥位置Ａには最高で１ドットしか記録されないが、千鳥位置Ｂには２ドットまで記録されることになる。また、千鳥位置Ａには、レベル１〜レベル４の範囲でドットが付与されるが、レベル１およびレベル２では、千鳥位置Ａにのみのドット付与となる。よって、低レベルの画像においては、千鳥位置Ａに対する記録制御の影響を大きく受ける。
【００５４】
一方、千鳥位置Ｂには、レベル４およびレベル５の高レベル側でのみの記録となるが、千鳥位置Ｂには２ドットずつドットが記録される。よって、高レベルの画像においては、千鳥位置Ｂへ記録されたドットのほうが千鳥位置Ａに記録されたドットよりも多く、千鳥位置Ａに対する記録制御の影響を受けやすくなる。
【００５５】
一般に、低レベル信号によって記録される濃度の低い（低デューティー）画像と、高レベル信号によって記録される濃度の高い（高デューティー）画像とでは、画像品位に影響を与える問題の種類が異なる。例えば、視認されるドットの配置の偏りによって生じる粒状感は、低デューティーの画像では問題となるが、高デューティーの画像では然程問題とならない。また、ノズルの吐出ばらつきや記録媒体の搬送ばらつき、また双方向記録における着弾位置ずれのような、記録装置の機械的なノイズは、濃度ムラやテキスチャーのような画像弊害を招致するが、これは高デューティーな画像のほうが目立ちやすい傾向にある。
【００５６】
すなわち、本実施形態のように低デューティーの画像と高デューティーの画像とで画像品位に影響を与える記録位置が、千鳥位置Ａおよび千鳥位置Ｂのように明確に分類できる場合には、それぞれの記録位置に対して特徴のある記録制御を施すことが出来る。つまり、例えば、千鳥位置Ａに対しては主に粒状感を回避するためのマスクパターンを採用し、千鳥位置Ｂに対しては主に機械的なノイズを目立たなくするようなマスクパターンを採用することができる。
【００５７】
図９は、本実施形態の高速記録モードで採用することが出来るマスクパターンを、千鳥位置Ａおよび千鳥位置Ｂに分けて説明するための模式図である。ここでは、図６で示したマスクパターンの、例えばＰ００９で示した領域近傍の６４エリア×６４エリアを抽出したものを示している。更に、図９（ａ）は、当該マスクパターンによって記録（黒）と設定されたエリアのうち、千鳥位置Ａに相当するもの、図９（ｂ）は、マスクパターンによって記録（黒）と設定されたエリアのうち、千鳥位置Ｂに相当するものをそれぞれ示している。
【００５８】
図からも判るように、これら２つのマスクパターンは、記録位置の分散傾向が互いに異なっている。図９（ａ）では、１つ１つの記録エリアが比較的分散しているのに対し、図９（ｂ）では、複数の記録エリアが縦方向に密集した状態を単位として分散している。上述したように、図９（ａ）で示したマスクパターンは千鳥位置Ａ用のマスクパターンであり、千鳥位置Ａのエリアは低デューティーの画像でその特徴が現れる。低デューティー画像においては、その粒状感が問題視されることは既に述べたが、この粒状感を低減するためには、なるべく分散性の高い状態でドットが記録されることが好ましい。よって、本実施形態においては、特に粒状感を低減するために、千鳥位置Ａ用のマスクとして図９（ａ）で示したような分散性の高いマスクパターンを採用している。
【００５９】
一方、高デューティー画像においては、上述したように、記録装置の機械的なノイズによる画像弊害が問題視されている。この様な問題を抑制する１つの方法として、図９（ｂ）のように、複数の密集したエリアを１つの単位としたマスクパターンを適用し、これら複数の密集したエリアが同一の記録走査で記録されるようにする方法が採用されている。本実施形態のマスクパターンは、このように千鳥位置Ａと千鳥位置Ｂに対し、それぞれ異なる特徴を持たせながら作成した２つのマスクパターンを、互いに重ね合わせることによって完成させたものである。これら独立に作成された２つのマスクパターンは、重ねあわせた後の状態であっても、千鳥位置Ａおよび千鳥位置Ｂの関係は互いに影響を与えず、それぞれのマスクパターンの特徴および効果も維持されている。
【００６０】
再び、図１を参照する。マスクデータ変換処理Ｊ００８での処理が施された１ビットのデータは、記録ヘッドの駆動回路Ｊ００９に送られる。そして、さらに記録ヘッドＪ００１０の駆動パルスに変換され、それぞれ記録ヘッドより所定のタイミングでインクが吐出される。
【００６１】
以上説明したように、本実施形態によれば、２ｐｌという少量のインク滴によって所望の濃度が達成されるような記録密度が設定されたインクジェット記録装置において、より低い記録密度で画像を記録する高速モードを設けながらも、所望の記録濃度が得られるような、マスクデータ変換処理を設けている。そして、このようなマスクパターンによって出力された画像においては、ハーフトーン後の１画素の階調レベルに対しても、所望の線形性が保たれている。更に、高デューティー画像において強調されるエリアと、低デューティー画像でも記録されるエリアとを分類し、それぞれのエリアに対し特徴のあるマスクパターンを適用することにより、デューティーの変化に伴う画像弊害の種類の移り変わりにも、適切に対応して行くことが可能となる。
【００６２】
（第２の実施形態）
以下に本発明の第２の実施形態について説明する。本実施形態においても画像データ変換処理の流れや、ドット配置パターン化処理およびマスクデータ変換処理については、第１の実施形態と同様に図１〜図８に示した構成が適用できるものとする。また、第１の実施形態と同様に、高画質写真モードおよび高速モードが用意されているものとする。但し、本実施形態の記録装置では、特に画像品位が低下しやすい記録媒体の先端部あるいは後端部に対し、特別なマスクパターンを用意している。従って、マスクデータ変換処理Ｊ０００８では、記録媒体の記録位置（先端部、中央部あるいは後端部）によって適用されるマスクパターンが異なっている。
【００６３】
図１０は、本実施形態の記録装置でＡ４サイズの記録媒体に記録を実行する際の、先端部、中央部および後端部の領域をそれぞれ示した図である。本実施形態で適用するようなシリアル型の記録装置においては、一般に、記録媒体は搬送ローラおよび排紙ローラといった２つのローラによって支持されつつ、矢印の方向に搬送されていく。記録ヘッドは、これら２つのローラの間に位置し、２つのローラによって張架され、支持され、精度よく位置決めされた記録媒体に対して記録を実行する。但し、図で示す先端部分および後端部分を記録する状況においては、２つのローラのうちの１つのローラのみで記録媒体が支持・搬送されている。すると、記録媒体の搬送精度が低くなり、それに伴って吐出インクの着弾ズレを生じやすい。このように、所定の位置にドットが配列することによって画像を形成する本実施形態のインクジェット記録装置においては、ローラの支持および不支持によって画像品位に大きく差が現れるのである。
【００６４】
このような問題に対し、本実施形態のインクジェット記録装置では、記録ヘッドに配設された複数のノズルのうち、実際に記録に適用するノズルの数を記録媒体での記録位置によって変更する。ずなわち、７６８ノズルを有する本実施形態の記録ヘッドにおいて、記録媒体の中央部分を記録する際には全７６８ノズルを使用するが、記録媒体の先端部分および後端部分を記録する際には、連続した１９２ノズルを用いて画像を形成する。無論これに伴い、中央部分を記録する際のマスクパターンとは別に、先端部分および後端部分を記録する際に適用する特別なマスクパターンも用意されており、各記録走査の間に実行される記録媒体の搬送量も、７６８／３＝２５６ノズル分から１９２／３＝６４ノズル分に低減される。このように、記録媒体の搬送量を１／４に抑えることは、搬送に伴う誤差量も１／４に抑えることに繋がり、搬送誤差に伴う画像品位の劣化を抑制することが出来る。
【００６５】
図１１は、本実施形態の高速記録モードで採用することが出来るマスクパターンを、千鳥位置Ａおよび千鳥位置Ｂに分けて説明するための模式図である。第１の実施形態では、千鳥位置Ａと千鳥位置Ｂに対し、所定の領域におけるドットの分散性にそれぞれ特徴を持たせたが、本実施形態では、マスクパターン全域におけるノズルに対する記録率の分布に特徴を持たせている。
【００６６】
図において、図１１（ａ）は、記録媒体の先端部分あるいは後端部分に対する千鳥位置Ａ用のマスクパターンである。縦方向は、使用するノズル数に対応して１９２エリア、横方向は３８４エリアとなっている。図１１（ｂ）は、記録媒体の先端部分あるいは後端部分に対する千鳥位置Ｂ用のマスクパターンであり、千鳥位置Ａに対応するエリアと同等の領域を有している。
【００６７】
図１１（ｃ）は、記録媒体の中央部分（先端部分、後端部分以外）に対する千鳥位置Ａ用のマスクパターンである。縦方向は、使用する全ノズル数に対応して７６８エリア、横方向は先端部および後端部と同等の３８４エリアとなっている。図１１（ｄ）は、記録媒体の中央部分に対する千鳥位置Ｂ用のマスクパターンである。千鳥位置Ａと同等の７６８×３８４エリアを有している。
【００６８】
図１１（ａ）に示す千鳥位置Ａ用のマスクパターンでは、３回の記録走査で千鳥位置Ａの全エリアが１ドットずつ記録される。すなわち全記録走査での記録率は１００％である。また、使用する１９２ノズルのうち、端部のノズルにおける記録率は１５％、中央部のノズルにおける記録率は５０％となっており、中央部を最大値とした滑らかなグラデーションマスクとなっている。中央部に対する端部の記録率の割合は０．３である。
【００６９】
図１１（ｂ）に示す千鳥位置Ｂ用のマスクパターンでは、３回の記録走査で千鳥位置Ｂの全エリアが２ドットずつ記録される。すなわち全記録走査での記録率は２００％である。また、使用する１９２ノズルのうち、端部のノズルにおける記録率は２５％、中央部のノズルにおける記録率は１００％となっており、中央部を最大値とした滑らかなグラデーションマスクとなっている。中央部に対する端部の記録率の割合は０．２５であり、端部から中央部へ向けての記録率の勾配は、千鳥位置Ａ用のマスクに比べて大きい。
【００７０】
図１１（ｃ）および（ｄ）で示した記録媒体の中央部用のマスクパターンも同様の傾向を有している。図１１（ｃ）に示す千鳥位置Ａ用のマスクパターンでは、図１１（ａ）と同様に、３回の記録走査での記録率は１００％となっている。また、使用する７６８ノズルのうち、端部のノズルにおける記録率は２０％、中央部のノズルにおける記録率は４０％となっており、中央部を最大値とした滑らかなグラデーションマスクとなっている。中央部に対する端部の記録率の割合は０．５である。これは、同じ千鳥位置Ａ用のマスクであっても記録媒体の先端部および後端部で適用されるマスクに比べて、より大きな値となっている。すなわち、端部から中央部に向けてのグラデーションの勾配は、図１１（ａ）に比べて小さい。
【００７１】
一方、図１１（ｄ）に示す千鳥位置Ｂ用のマスクパターンでは、図１１（ｂ）と同様に、３回の記録走査での記録率は２００％となっている。また、使用する７６８ノズルのうち、端部のノズルにおける記録率は４０％、中央部のノズルにおける記録率は８０％となっている。中央部に対する端部の記録率の割合は０．５である。これは、同じ千鳥位置Ｂ用のマスクであっても記録媒体の先端部および後端部で適用されるマスクに比べて、より大きな値である。すなわち、端部から中央部に向けてのグラデーションの勾配は、図１１（ｂ）に比べて小さい。但し、この０．５という値は、図１１（ｃ）で示した中央部用の千鳥位置Ａ用のマスクパターンと同値となっている。
【００７２】
先に説明した気流、すなわち端部よれ問題に対しては、図１１で示したようなマスクパターンを適用することによってある程度対応することができる。すなわち、各ノズルの記録率が、中央部を最大値とし、端部に行くに従って徐々に低く設定されている構成を採用することによって、まず気流自体の程度を抑えることが出来る。また、端部のノズルが吐出したインク滴が、たとえずれた位置に着弾してしまったとしても、ドット数が抑えられていることにより、着弾位置ずれによる弊害を目立たなくすることが出来る。そして、このような対策は、端部よれによる画像弊害の程度に応じて、端部から中央部に向けての記録率の勾配を調整することにより、より効果的に働かせることが出来る。
【００７３】
ところで、このような気流の問題は、吐出されるインク滴の密度が高いほど顕著に現れることが確認されている。すなわち、記録デューティーの低い領域よりも、記録デューティーの高い領域のほうが、端部よれが確認されやすい。よって、本実施形態においては、同じ先端部あるいは後端部に対するマスクパターンであっても、より端よれ弊害の起き易い高デューティーの画像に影響を与える千鳥位置Ｂに対して、より勾配の大きいマスクパターンを適用している。
【００７４】
以上説明した本実施形態において、実際に適用するマスクパターンは、千鳥位置Ａ用のマスクパターン（図１１（ａ）あるいは（ｃ））と、千鳥位置Ｂのマスクパターン（図１１（ｂ）あるいは（ｄ））を、互いに重ね合わせることによって完成させた１つのマスクパターンである。但し、先端部あるいは後端部領域用のマスク、中央部用のマスクパターンはそれぞれ独立に扱われ、記録装置のメモリ内の別領域に格納されている。
【００７５】
以上説明したように、本実施形態によれば、特に記録媒体の先端部および後端部における画像品位の低下に着目している。その上で、高デューティー画像において強調されるエリアと、低デューティー画像でも記録されるエリアとを分類し、それぞれのエリアに対し特徴のあるマスクパターンを適用することにより、デューティーの変化に伴う画像弊害の種類の移り変わりにも、適切に対応して行くことが可能となる。
【００７６】
（第３の実施形態）
以下に本発明の第３の実施形態について説明する。本実施形態においても画像データ変換処理の流れや、ドット配置パターン化処理およびマスクデータ変換処理については、第１および第２の実施形態と同様に図１〜図８に示した構成が適用できるものとする。また、上記実施形態と同様に、高画質写真モードおよび高速モードが用意されているものとする。
【００７７】
本実施形態の記録装置では、千鳥位置Ａ用のマスクとして、特開２００２−１４４５２２に記載されているような、高い分散性のドット配列となるようなマスクパターンを適用する。このマスクパターンは、ドット配列の分散性に優れることから、低デューティー画像における粒状感に対し特に効果的である。
【００７８】
一方、千鳥位置Ｂ用のマスクとしては、特開平６−３３０６１６号公報に開示されているような、ランダム性を持たせたマスクパターンを適用する。このマスクパターンの特徴は、ハーフトーニングＪ０００５で採用される方法がいかなるものであっても、出力されたパターンと干渉せず、安定した出力画像が得られることである。もし、マスクデータ変換処理Ｊ０００８で適用されるマスクパターンと、ハーフトーニングＪ０００５から出力されたパターンとの間で干渉が起きると、作成したマスクパターンが意図する効果が得られなかったり、画像の一様性が損なわれたりと、画像品位を劣化させる恐れが生じる。
【００７９】
よって、本実施形態においては、より粒状感が問題視される低デューティー画像への対策として、千鳥位置Ａ用のマスクパターンに分散性に優れたマスクパターンを用い、一様性の劣化が問題視される高デューティー画像への対策として、千鳥位置Ｂ用のマスクパターンにランダム性を有したマスクパターンを採用する。
【００８０】
なお、上記実施形態のように複数色のインクを吐出するカラーインクジェット記録装置の場合、複数のインク色ごとに適用するマスクパターンを異ならせている場合も多い。無論、各色で異なるマスクパターンを適用するような形態を採用しても、本発明の効果はなんら変わるものではない。インク色によって、問題視される画像弊害が異なる場合には、各色にそれぞれ適切なマスクパターンを、千鳥位置Ａおよび千鳥位置Ｂ用にそれぞれ作成してもよい。
【００８１】
また、以上の実施形態では、図１で示したように、ハーフトーニング処理までを実行するホスト装置と、ドット配置パターン処理以降の画像処理を実行するインクジェット装置より構成された記録システムについて説明してきたが、本発明はこれに限定されるものではない。全ての処理を記録装置で実行可能なインクジェット記録装置、複写機あるいはファクシミリであってもよいし、ホストコンピュータ以外の複数の機器（たとえばインターフェース機器、リーダ等）から構成されるシステムであってもよい。
【００８２】
ところで、入力されたデータに対し、マルチパス用のマスクパターンを用い、同一のエリアに強調記録を行う技術は例えば特許文献３にもすでに開示されている。しかし、特許文献３に代表される従来の強調方法は、２値化後のドット配列に対し、マスクパターンによって無作為に強調するドットが決定されるものであった。すなわち、本実施形態の記録装置のように、ハーフトーニングによって多値の階調データを得た後、更にドット配置パターン化処理によって適切な階調を表現する構成においては、１画素領域内のドット配列とは全く無関係に強調が行われてしまうので、１画素に与えられた多値の階調データに意味がなくなってしまうのである。これに対し、本発明においては、１画素に与えられた多値の階調データに対応するドット配置パターンを考慮した上でマスクパターンが形成され、各画素に平等にかつ線形的に強調記録を行っていくことができるので、１画素に与えられた多値の階調データの意味が保存されていることが特徴と言える。
【００８３】
また、いくつかの変更（例えば、ハーフトーニングより得られる階調レベル数や、ドット配置パターンのドット配置数、同一領域に対する主走査回数等の変更）を、本発明の教示から逸脱することなく前述の実施形態に適用できることを強調しておく。特に、本開示に含まれる全ての事項、または添付図面に示された全ての事項は、例示のためのものであると解釈すべきであり、限定のためのものであると解釈してはならない。本発明の範囲は、特許請求の範囲に基づいて決定されるものである。
【図面の簡単な説明】
【００８４】
【図１】本発明の実施形態における画像データ変換処理の流れを説明するためのブロック図である。
【図２】本発明の実施形態の高画質写真モードにおけるドット配置パターン化処理で変換する、入力レベル０〜８に対する出力パターンを示す図である。
【図３】マルチパス記録方法を説明するために、記録ヘッドおよび記録パターンを模式的に示した図である。
【図４】本発明の実施形態の高画質写真モードで実際に適用するマスクパターンを示した図である。
【図５】本発明の実施形態の高速モードにおけるドット配置パターン化処理で変換する、入力レベル０〜４に対する出力パターンを示した図である。
【図６】本発明の実施形態の高速モードで実際に適用するマスクパターンを示した図である。
【図７】マスクパターンにおける各ノズル群に対応する領域の、左上に位置する領域を拡大して示したものである。
【図８】入力レベル０〜４に対して、結果的に記録されるドットの様子および数を示した図である。
【図９】（ａ）および（ｂ）は、本発明の第１の実施形態で採用することが出来るマスクパターンを、千鳥位置Ａおよび千鳥位置Ｂに分けて説明するための模式図である。
【図１０】本発明の実施形態で適用する記録装置において、Ａ４サイズの記録媒体に記録を実行する際の、先端部、中央部および後端部の領域を示した図である。
【図１１】（ａ）〜（ｄ）は、本発明の第２の実施形態の高速記録モードで採用することが出来るマスクパターンを、千鳥位置Ａおよび千鳥位置Ｂに分けて説明するための模式図である。
【符号の説明】
【００８５】
Ｊ０００１    アプリケーション
Ｊ０００２    前段
Ｊ０００３    後段
Ｊ０００４    γ補正
Ｊ０００５    ハーフトーニング
Ｊ０００６    印刷データの作成
Ｊ０００７    ドット配置パターン化処理
Ｊ０００８    マスクデータ変換処理
Ｊ０００９    ヘッド駆動回路
Ｊ００１０    記録ヘッド
Ｐ０００７    第３ノズル群の記録走査の結果、記録が可能な画素
Ｐ０００８    第２ノズル群の記録走査の結果、記録が可能な画素
Ｐ０００９    第１ノズル群の記録走査の結果、記録が可能な画素
Ｐ００１０    Ｐ０００７〜Ｐ０００９を重ねた結果
【図１】
2006062332.tif 000003
【図２】
2006062332.tif 000004
【図３】
2006062332.tif 000005
【図４】
2006062332.tif 000006
【図５】
2006062332.tif 000007
【図６】
2006062332.tif 000008
【図７】
2006062332.tif 000009
【図８】
2006062332.tif 000010
【図９】
2006062332.tif 000011
【図１０】
2006062332.tif 000012
【図１１】
2006062332.tif 000013